(57)【特許請求の範囲】
【請求項１】
洋式便器を備えるトイレユニットであって、
前記洋式便器の後端側を囲い、該後端側を遮蔽する便器遮蔽体と、
前記洋式便器に着座した使用者の人体局部に洗浄水を噴出するよう配設されたノズル装置と、
該ノズル装置に洗浄水を給水するための給水機構を含む局部洗浄ユニット部とを有し、
前記便器遮蔽体は、前記局部洗浄ユニット部がユニットごと前記便器遮蔽体の内外を移動して、前記局部洗浄ユニット部が前記便器遮蔽体の外部に露呈できるように前記局部洗浄ユニット部を収納する洗浄ユニット収納部を、前記洋式便器の後端側上方に有すること
を特徴とするトイレユニット。
【請求項２】
請求項１記載のトイレユニットであって、
前記洗浄ユニット収納部は、前記局部洗浄ユニット部を着脱できるように収納する、トイレユニット。
【請求項３】
請求項１又は請求項２記載のトイレユニットであって、
前記便器遮蔽体は、物品収納部を有する、トイレユニット。
【発明の詳細な説明】
【０００１】
【発明の属する技術分野】
本発明は、洋式便器を備えるトイレユニットに関する。
【０００２】
【従来の技術】
着座して排便する洋式便器では排便の際の姿勢に無理がないことなどから、新築住居では当初から洋式便器を採択する要望が高い。また、トイレの改修の際にも、かがみ込んで排便する和式便器を洋式便器に変更する要望が大多数を占めている。しかも、人体局部を洗浄する局部洗浄装置を洋式便器に併設することも行なわれている。
【０００３】
また、洋式便器はトイレ床面から立ち上がっているので、便器後方には特段の利用価値のないいわゆるデッドスペースが生じ、見栄え上問題があった。このため、洋式便器の後端側を覆うことがなされるようになりつつある。この際、局部洗浄装置を便器の後方上面に載置するようにし、この局部洗浄装置をも洋式便器の後端側を覆う部材、例えばキャビネットにて覆うようにすることもなされている（特開平１０−１５９１４９）。
【０００４】
【発明が解決しようとする課題】
ところで、トイレの床面は、水洗いが行なわれる都合上、タイルを用いた耐水性仕上げが要求される。しかしながら、タイルの設置には熟練と手間を要し、タイル目地の乾燥等の養生に時間がかかる。よって、トイレ施工、特にトイレ改修の場合にはその家屋の居住者にトイレを長く使えないという不便さを強いていた。
【０００５】
また、洋式便器とその後方上面に載置した局部洗浄装置とをキャビネットにて覆うようにした場合には、施工当初の現場作業は容易となる。しかし、局部洗浄装置はキャビネット内に位置したままなので、修理・交換等の保守作業時にあってはキャビネット内での作業が必要となる。よって、作業対象箇所によっては工具等を取り扱いにくく作業が困難となる場合もある。
【０００６】
本発明は、上記問題点を解決するためになされ、トイレに関連する現場作業の簡略化と作業期間の短縮化を図ることをその目的とする。
【０００７】
【課題を解決するための手段およびその作用・効果】
かかる課題の少なくとも一部を解決するため、本発明のトイレユニットは、
洋式便器を備えるトイレユニットであって、
前記洋式便器の後端側を囲い、該後端側を遮蔽する便器遮蔽体と、
前記洋式便器に着座した使用者の人体局部に洗浄水を噴出するよう配設されたノズル装置と、
該ノズル装置に洗浄水を給水するための給水機構を含む局部洗浄ユニット部とを有し、
前記便器遮蔽体は、前記局部洗浄ユニット部がユニットごと前記便器遮蔽体の内外を移動して、前記局部洗浄ユニット部が前記便器遮蔽体の外部に露呈できるように前記局部洗浄ユニット部を収納する洗浄ユニット収納部を、前記洋式便器の後端側上方に有すること
を特徴とする。
【００１８】
上記構成を有する本発明のトイレユニットでは、洋式便器の後端側を便器遮蔽体で囲ってその後端側を遮蔽し、便器後方の見栄えを高める。そして、この洋式便器を局部洗浄機能を有するものとするに当たっては、洋式便器の後端側上方において、局部洗浄ユニット部をユニットごと便器遮蔽体の外部に露呈できるよう便器遮蔽体の洗浄ユニット収納部に収納する。従って、トイレ施工時には、局部洗浄ユニット部を洗浄ユニット収納部に収納済みの便器遮蔽体を、洋式便器の後端側を囲うよう配設すればよく、施工当初の現場作業を簡略化できる。また、この局部洗浄ユニット部をユニットごと便器遮蔽体の外部に露呈できるので、局部洗浄ユニット部の修理・交換等の保守作業の際には、局部洗浄ユニット部を便器遮蔽体の外部において保守できる。よって、工具等を何の支障もなく取り扱うことができ、保守作業をも簡略化できる。しかも、保守作業の簡略化を通して作業効率を高めることができ、作業時間の短縮も可能となる。この場合、局部洗浄ユニット部をユニットごと便器遮蔽体の外部に露呈できるよう収納するに当たっては、便器遮蔽体の洗浄ユニット収納部を引出式のスライドラックとしたりすればよい。
【００１９】
上記の構成を有する本発明のトイレユニットは、以下の態様を採ることもできる。即ち、洗浄ユニット収納部を、前記局部洗浄ユニット部を着脱できるように収納するものとすることができる。こうすれば、次の利点がある。
【００２０】
洋式便器に局部洗浄機能を要しない場合は、洗浄ユニット収納部に局部洗浄ユニット部が未収納の便器遮蔽体を、洋式便器の後端側を囲うよう配設すればよい。そして、この洋式便器に後から局部洗浄機能を追加するには、便器遮蔽体の洗浄ユニット収納部に局部洗浄ユニット部を取り付けて収納すればよい。
【００２１】
また、使用者は、局部洗浄機能の性能向上を求める場合がある。例えば、施工当初は、単純に洗浄水を局部に噴出するという基本性能で充分であったが、使用者は、施工後に、この基本性能以外の性能、具体的には、局部に噴出する洗浄水に気泡を混入したり、水勢に強弱を付けて洗浄水を噴出したりする性能の付加を望む場合がある。このような場合は、洗浄ユニット収納部に収納済みの局部洗浄ユニット部を取り外し、これら性能を上記の基本性能に加えて有する局部洗浄ユニット部にユニットごと容易に交換できる。この際、洋式便器は、局部洗浄ユニット部を有しないことから交換不要である。よって、局部洗浄機能の性能向上の要求に、容易且つ速やかに対処できる。
【００２２】
更に、局部洗浄ユニット部の各機器はいわゆるマイコンに制御されているので、故障解析にはマイコンの作動状況やメモリの様子を調べることが有効である。この際、マイコンは専用の検査機器に接続される。この検査機器は、携帯が自在であるとは限らず、据え置き型の場合もある。この据え置き型の検査機器を用いる場合は、洗浄ユニット収納部に収納済みの局部洗浄ユニット部を、当該収納部から取り外して検査機器に接続できる。そして、この検査機器による故障解析と故障修復を経た局部洗浄ユニット部を洗浄ユニット収納部に再度収納すればよい。よって、局部洗浄ユニット部の故障にも、容易且つ速やかに対処できる。
【００２３】
また、便器遮蔽体を、物品収納部を有するものとすることができる。こうすれば、この物品収納部に予備のタオルやトイレットペーパー等の種々のトイレ備品を収納でき、使い勝手を高めることができる。
【００２４】
また、前記便器遮蔽体と前記洋式便器の外部側面とが接合するコーナー領域に、該コーナー領域を遮蔽する部材を備え、該部材を、前記便器遮蔽体の表面と前記洋式便器の外部側面とを略連続的に繋ぐ表面を有するものとすることができる。こうすれば、便器周囲の清掃性を高めることができ、塵やゴミを容易に除去できる。
【００２５】
【発明の実施の形態】
次に、本発明に係るトイレユニットの実施の形態を実施例に基づき説明する。まず、参考例について説明する。図１は参考例のトイレユニット１０の概略断面図、図２はその概略分解斜視図、図３は図１の３−３線要部概略断面図である。
【００２６】
これら図面に示すように、参考例のトイレユニット１０は、洋式便器１２を備える。洋式便器１２は、便器洗浄時に、図示しない１次側給水源（水道管）から供給を受ける。そして、その洗浄水を便器ボール部１４に流し込み、ボール部内汚物をボール部内の封水と共にサイホン作用により下水配管１６に排出するよう構成されている。なお、このサイホン作用は、便器ボール部１４に連設されたトラップ配管部１８で生じるようにされている。
【００２７】
この洋式便器１２は、トラップ配管部１８を下水配管１６に接続させているものの、トイレ床面に対しては、洋式便器１２を便器前方から便器側方に亘って取り囲む便器支持包囲体２０で支持されている。即ち、便器支持包囲体２０は、その上縁端２２を洋式便器１２のリム部２４の下端面に当接させ、洋式便器１２を支持している。この場合、リム部２４には下方に延びた縁部２５が形成されており、この縁部２５により、便器支持包囲体２０の上縁端２２は覆われている。また、便器支持包囲体２０は、便器側方から便器後方にかけても洋式便器１２をそのリム部にて支持できるよう便器後端側のみを開放して形成されている（図２参照）。そして、この便器支持包囲体２０は、便器後方で横方向に延びトイレの後壁地肌２７に接する後部側方体２３と連設されている。なお、便器支持包囲体２０の内側には、その上縁端２２での洋式便器１２の支持に支障がないようにして、当該包囲体を補強するリブ２１が複数形成されている。
【００２８】
トイレユニット１０は、コンクリートや木材等で形成された床地肌２６の上面に配設固定される床材２８を有する。この床材２８は、ＡＢＳ、ポリプロピレン（ＰＰ）等の耐水性樹脂を用いて製造されており、トイレ室内の床面をなす。そして、耐水性樹脂製であることから、このトイレ床面を耐水性とする。しかも、この床材２８は、図２に示すように、上記の便器支持包囲体２０と後部側方体２３とをトイレ床面から湾曲して立ち上がるようにして一体に備える。更に、この床材２８は、図３に示すように、トイレ床面の周縁から湾曲して立ち上がりトイレ室内の側面をなす側壁部５０を一体に有する。つまり、床材２８は、便器支持包囲体２０およびその両側の後部側方体２３とトイレ室内周囲の側壁部５０とが一体となるよう上記樹脂にて製造される。この際、便器支持包囲体２０と後部側方体２３の上端をいわゆる見切り線とし、側壁部５０をこの見切り線より下方のものと上方のものとに分割する。そして、下方の側壁部５０については床材２８と一体化し、上方の側壁部５０については施工現場で接合するようにすることもできる。
【００２９】
便器支持包囲体２０の前方位置には、床材２８に排水口３０が空けられている。よって、床材２８上面に零れた水、尿等は、この排水口３０から床地肌２６の分岐下水配管３２に流れ落ち、下水配管１６から排出される。
【００３０】
また、トイレユニット１０は、洋式便器１２に対して開閉される便座３４と便蓋３６と、後部側方体２３と接合する後部壁面材３８を有する。この後部壁面材３８は、その前面から洋式便器１２の側に突出した便座受け部４０を備え、この便座受け部４０の股部に便座３４と便蓋３６を回動自在に支持する。なお、洋式便器１２を、便座３４と便蓋３６を開閉自在に支持して有するものとしてもよい。
【００３１】
上記した側壁部５０は、図３に示すように、トイレの側壁地肌５４の側に窪んだ第１凹所５１、第２凹所５２および第３凹所５３を有する。これら凹所は、種々のトイレ備品の収納箇所とされており、第１凹所５１は、床ブラシ等の収納に適した形状となっている。また、第２凹所５２は、トイレットペーパーやタオル等の収納に適した形状とされている。そして、第３凹所５３は、トイレットペーパーの紙巻き器５５を収納して備える。この場合、図３における紙面の奥側或いは手前側に、第３凹所５３と並べて第４凹所を設け、この第４凹所に便器洗浄時に操作されるリモートコントローラを収納するようにすることもできる。なお、第１凹所５１と第２凹所５２には、その開口部に蓋体５６，５７が装着されている。
【００３２】
ここで、床材２８の製造の様子や配設の様子について説明する。施工対象となるトイレ室内の奥行き寸法Ｌ（図１参照）や、トイレ室内の幅寸法Ｗ（図３参照）、設置済み状況における洋式便器１２の上面高さＴ（図１参照）に基づいて、床材２８の寸法・形状がトイレ室内に合わせて決定される。この際、側壁部５０の上記各凹所の奥行きＯＬ（図１参照）も考慮される。また、便器支持包囲体２０と後部側方体２３の高さＢＴ（図１参照）は、上記の洋式便器１２の上面高さＴに応じて、便器支持包囲体２０の上縁端２２における湾曲形状並びにリブ２１の形状・設置位置は、洋式便器１２の外観形状に応じて、それぞれ決定される。また、床材２８における便器支持包囲体２０の形成位置は、洋式便器１２の外観形状に加え下水配管１６の開口位置を考慮して決定される。更に、後部壁面材３８における便座受け部４０の形成位置やその形状並びに便座受け部４０での便座３４と便蓋３６の支持位置は、上記の洋式便器１２の上面高さＴや洋式便器１２の設置位置に応じて決定される。そして、このように決定された寸法・形状となるよう、床材２８は上記の樹脂にて適宜な手法（例えば射出成型法）で製造される。この際、上記したように、便器支持包囲体２０と後部側方体２３および側壁部５０は、この床材２８と一体に製造される。なお、床材２８の排水口３０は、床地肌２６における分岐下水配管３２の開口位置に合わせて床材２８の製造時に空けられる。もっとも、現場でこの排水口３０を空けるようにしてもよい。また、トイレ室内の天井をなす部材についても、トイレ室内の上記の奥行き寸法Ｌや幅寸法Ｗ並びに側壁部５０や後部壁面材３８の高さを考慮して製造され、後述の床材２８の配設時にトイレ室内天井に固定される。
【００３３】
便器支持包囲体２０等が上記のように一体に製造された床材２８と後部壁面材３８および洋式便器１２は、トイレ室内に搬入され、次のようにして配設される。なお、トイレ改築等の場合において、トイレの出入り口の開口寸法の制約を受け、当該出入り口から室内への床材２８等の搬入に支障があれば、予め製造時に分割形成される。この際、便器支持包囲体２０と後部側方体２３については床材２８から分離されることはなく、床材２８の床部分で分割される。そして、その分割箇所には、ゴムパッキン等を介在させて水密化が図られる。
【００３４】
まず、トイレ室内に搬入した床材２８を配設する。この際、床材２８の下面は床地肌２６に、後部側方体２３の裏面は後壁地肌２７に、側壁部５０の裏面は側壁地肌５４にそれぞれ重なるようにされる。また、洋式便器１２を、そのトラップ配管部１８が下水配管１６に接続するようにして便器支持包囲体２０に載置し、便器支持包囲体２０の上縁端２２にリム部２４の下端面を当接させる。こうして、洋式便器１２を便器支持包囲体２０で支持する。この際、洋式便器１２が不用意にずれたりしないように、上縁端２２とリム部２４との間にコーキング剤や接着剤を介在させるようにしてもよい。そして、このように配設した床材２８を接着剤、ねじ・釘等を用いて固定する。なお、床材２８を洋式便器１２の載置に先立ち固定することもできる。
【００３５】
その後、後部壁面材３８を配設する。この場合、便座受け部４０の形成位置や便座３４と便蓋３６の支持位置等は上記したようにその製造段階で決定済みであることから、後部壁面材３８の下端が後部側方体２３の上端に当接すれば済む。そして、このように配設した後部壁面材３８を接着剤、ねじ・釘等を用いて固定する。なお、便座３４や便蓋３６が未組み付けであれば、後部壁面材３８の固定後にこれらを便座受け部４０に組み付け支持すればよい。
【００３６】
以上説明したように、この参考例のトイレユニット１０を新築・改築時にトイレに施工するに当たっては、トイレ室内への床材２８の配設・固定と、この床材２８と一体となった便器支持包囲体２０への洋式便器１２の載置支持と、後部壁面材３８の配設・固定を行なえばよく、従来のようにタイル設置やその養生を要しない。よって、トイレ施工時の現場作業を簡略なものとすることができると共に、施工期間も短期間とできる。
【００３７】
また、洋式便器１２を便器支持包囲体２０で支持するようにした。このため、便器保持に際して、従来のように洋式便器の床面接合部にコーキング剤を充填し足りする必要がない。よって、その分だけ作業の簡略化と工期短縮を図ることができる。しかも、洋式便器１２を支持する便器支持包囲体２０の上縁端２２を、洋式便器１２のリム部２４における縁部２５で覆うようにした。このため、便器支持包囲体２０の内側にリム部２４から尿等を進入させないようにできるので、便器支持包囲体２０と洋式便器１２との間に尿が貯まることがなく、尿による悪臭の発生を効果的に防止できる。
【００３８】
更に、便器支持包囲体２０を一体に有する床材２８を耐水性の樹脂を用いて製造し、床材２８のなすトイレ床面と便器支持包囲体２０の外表面とを、共に耐水性を発揮した連続面とした。よって、床材２８の床面表面並びに便器支持包囲体２０の周囲外表面はもとより、この便器支持包囲体２０の立ち上がり部分の表面をも水を用いて簡単に掃除できる。このため、床面やこの立上がり部分の表面等に尿が付着してもその尿を水にて容易に除去でき、床面の見栄えを好適に維持できると共に、悪臭を放つことも回避できる。そして、この掃除に用いた水を床材２８に空けた排水口３０から外部に容易に排出できるので、気兼ねなく水を使用して掃除でき、掃除がより簡単となる。なお、後部側方体２３の表面およびその立上がり部分についても同様である。
【００３９】
また、床材２８に側壁部５０を一体とし、側壁部５０を床面の周縁から立ち上がるようにした。よって、この側壁部５０の表面並びにその立ち上がり部分の表面をも水を用いて容易に掃除でき好ましい。つまり、トイレの床面を始めとする周囲側面をも容易に掃除できる。
【００４０】
そして、この側壁部５０には、第１凹所５１〜第３凹所５３と図示しない第４凹所を形成し、各凹所に床ブラシやトイレットペーパー、タオル等のトイレ備品や紙巻き器５５或いはリモートコントローラを収納するようにした。よって、トイレの使い勝手を高めることができる。また、リモートコントローラや紙巻き器５５をトイレ側壁から突出させないので、トイレ側壁の見栄えを良くできると共に、トイレ使用者に圧迫感を与えることがなく好ましい。
【００４１】
次に、本発明の実施例について説明する。図４は実施例のトイレユニット６０の概略斜視図、図５はこのトイレユニット６０の中央部概略縦断面図、図６は図４の６−６線要部断面図である。これら図面に示すように、トイレユニット６０は、洋式便器６２を備える。この洋式便器６２にあっても、上記の洋式便器１２と同様にサイホン作用を生じさせ、便器ボール部６４内の汚物を封水と共に排出するよう構成されている。
【００４２】
トイレユニット６０は、洋式便器６２の後端側上面６３に便座受け部６６を載置して備える。この便座受け部６６は、その股部に便座６８と便蓋６９を回動自在に支持して備える。また、便座受け部６６には、洋式便器６２、即ち便座６８に着座した使用者の人体局部に洗浄水を噴出するノズル装置７０が配設されている。ノズル装置７０は、洗浄ノズル７１を進退自在に組み込んだノズルシリンダ７２と、この洗浄ノズル７１を進退させるノズル駆動機構７３とを備える。このノズル駆動機構７３は、便座受け部６６の内部に組み込まれており、ノズルシリンダ７２並びに洗浄ノズル７１は、ノズル駆動機構７３に係合して組み付けられている。この場合、便座６８と便蓋６９は、便座受け部６６の股部から着脱できるように支持されている。そして、便座６８と便蓋６９を便座受け部６６から取り外すと、便座受け部６６の股部に設けた図示しない蓋が開くようにされており、この蓋の開口箇所から、洗浄ノズル７１とノズル駆動機構７３を含むノズル装置７０の全体を外部に取り出せるようにされている。なお、ノズル駆動機構７３は、駆動源であるモータとその回転を洗浄ノズル７１に伝達するための伝達機器を有する。
【００４３】
また、トイレユニット６０は、洋式便器６２の後端側に後部キャビネット８０を有する。この後部キャビネット８０は、洋式便器６２の後端側をその上面の便座受け部６６ごと覆ってこれらを遮蔽する便器後方キャビネット８２とその左右の左キャビネット８３と右キャビネット８４とを区画して有する。この左右のキャビネットは、床ブラシやその他のトイレ備品を収納するためのものであり、扉８５の奥側に収納スペースを形成している。なお、便器後方キャビネット８２とその左右のキャビネットは、トイレ床面並びにトイレ奥側壁面に、ボルト等の適宜な固定金具で固定されている。
【００４４】
便器後方キャビネット８２は、図４並びに図５に示すように、洋式便器６２の後端側を遮蔽する前面パネル８２ａの奥側に、便座受け部６６の上方に当たる第１収納スペース８６と、その上方の第２収納スペース８８とを有する。第１収納スペース８６を塞ぐ扉８７は、その下端両側において前面パネル８２ａに支持されており、図５に示す矢印Ａのように回動自在とされている。そして、この扉８７を支持する図示しない支持機構は、図５に二点鎖線で示すように水平な状態で扉８７を保持できるよう構成されている。一方、第２収納スペース８８は、仕切り板８９で上下に仕切られており、いわゆる観音開きの扉９０を有する。そして、この第２収納スペース８８は、タオル、トイレットペーパー等のトイレ備品の収納棚とされている。
【００４５】
第１収納スペース８６には、便器後方キャビネット８２左右の区画壁材９１の内側面にそれぞれ水平な軌道を形成するレール材（図示省略）が固定されており、この両レール材には移動プレート９２が横架されている。この移動プレート９２は、上記のレール材の軌道に沿って転がるローラ９３を左右両端に複数備え、図５の矢印Ｂのように前後動自在とされている。移動プレート９２は、第１収納スペース８６内にあってはレール材の軌道に沿ったローラ９３の転がりにより前後動する。そして、この第１収納スペース８６の外部にあっては、上記のように水平保持された扉８７の裏面に形成された溝（図示省略）に沿ったローラ９３の転がりにより、移動プレート９２は前後動するようにされている。この場合、移動プレート９２が扉８７を越えて引き出されないよう、図示しないストッパが設けられている。なお、この移動プレート９２をスライドラックとして構成することもできる。
【００４６】
このように第１収納スペース８６の内外に亘って前後動可能な移動プレート９２には、取付プレート９４を介在させて局部洗浄ユニット部９５が載置されている。この局部洗浄ユニット部９５は、洋式便器６２の側のノズル装置７０に水道管から局部洗浄用の洗浄水を給水するための各種機器、具体的には給水アダプタや減圧弁機構、流量調整弁機構、洗浄水温水化のための熱交換機器等の給水機器群の他、これら機器並びにノズル装置７０のノズル駆動機構７３を駆動制御する制御装置を有する。そして、これら給水機器群と制御装置を取付プレート９４に配設固定することでユニット化され、上記の局部洗浄ユニット部９５が構成されている。この局部洗浄ユニット部９５と移動プレート９２との間に介在する取付プレート９４は、蝶ねじ等を用いて、或いはワンタッチ式の着脱金具を用いて移動プレート９２に対して着脱自在に取り付けられている。このため、局部洗浄ユニット部９５は、移動プレート９２と共に第１収納スペース８６の内外に亘って前後に移動し、便器後方キャビネット８２の外部に露出する。このように移動プレート９２に載置された局部洗浄ユニット部９５とノズル装置７０との間には、洗浄水給水のためのフレキシブル管９６と、電源ライン並びに制御信号ラインを含む電気配線９７が接続され、局部洗浄ユニット部９５からノズル装置７０への洗浄水給水と局部洗浄ユニット部９５によるノズル装置７０の駆動制御がなされる。なお、トイレユニット６０は、図示しないリモートコントローラを備え、そのスイッチ操作によって、局部洗浄ユニット部９５からの洗浄水給水並びにノズル装置７０の制御が行なわれ、ノズル装置７０から人体局部に洗浄水が噴出される。
【００４７】
また、トイレユニット６０は、洋式便器６２の後端側を遮蔽する便器後方キャビネット８２の前面パネル８２ａと洋式便器６２の外部側面とが接合する左右のコーナー領域Ｋに、湾曲部材９８を有する。この湾曲部材９８は、図４および図６に示すように、上記のコーナー領域Ｋを上下に遮蔽するよう配設固定されており、前面パネル８２ａの表面と洋式便器６２の外部側面とを略連続的に繋いでいる。従って、前面パネル８２ａと洋式便器６２の接合部にあっては、略直角状のコーナー領域Ｋは露呈せず、図示するような湾曲コーナーＷＫが露呈するようにされている。
【００４８】
以上説明したように、実施例のトイレユニットでは、洋式便器６２の後端側をその上面の便座受け部６６ごと後部キャビネット８０で覆ってこれらを遮蔽し、便器後方の見栄えを高める。また、洋式便器６２の左右後方も、左キャビネット８３と右キャビネット８４で覆うので、トイレ室内における後方全体の見栄えを高めることができる。
【００４９】
そして、ノズル装置７０を便座受け部６６に設けて、このノズル装置７０から人体局部に洗浄を噴出するようにし、このノズル装置７０には、洋式便器６２の後端上方の第１収納スペース８６に収納した局部洗浄ユニット部９５から洗浄水の給水を行なうようにした。しかも、この局部洗浄ユニット部９５を、移動プレート９２に載置して第１収納スペース８６の内外に亘って前後に移動ができるようにし、便器後方キャビネット８２の外部へも露出可能とした。従って、局部洗浄が可能な洋式便器を有するトイレとするに当たっては、そのトイレ施工時に、局部洗浄ユニット部９５を第１収納スペース８６に収納済みの便器後方キャビネット８２を、洋式便器６２の後端側を囲うよう配設すればよい。この際、局部洗浄ユニット部９５が未収納であれば、便器後方キャビネット８２の配設作業と、便器後方キャビネット８２の外部での移動プレート９２への局部洗浄ユニット部９５の載置作業を行なえばよい。よって、いずれの場合でも、施工当初の現場作業を簡略化できる。
【００５０】
加えて、実施例のトイレユニット６０では、局部洗浄ユニット部９５をユニットごと便器後方キャビネット８２の外部に露呈できるので、局部洗浄ユニット部９５の修理・交換等の保守作業の際には、局部洗浄ユニット部９５を便器後方キャビネット８２の外部において保守できる。よって、工具等を何の支障もなく取り扱うことができ、保守作業をも簡略化できる。しかも、保守作業の簡略化を通して作業効率を高めることができ、作業時間の短縮も可能となる。そして、移動プレート９２のストッパを設けたので、このように局部洗浄ユニット部９５を便器後方キャビネット８２の外部に露呈させる際に、誤って局部洗浄ユニット部９５を落としたりすることがなく好ましい。
【００５１】
また、上記のように前後移動可能な局部洗浄ユニット部９５を、このような前後移動をもたらす移動プレート９２から着脱できるようにした。よって、次の利点がある。
【００５２】
使用者によっては、洋式便器での局部洗浄を必要としない場合がある。このような場合は、第１収納スペース８６に局部洗浄ユニット部９５が未収納の便器後方キャビネット８２を、洋式便器６２の後端側を囲うよう配設すればよい。そして、このようにして施工済みのトイレにおいて、後から局部洗浄をできるようにしたい場合は、その時点で、便器後方キャビネット８２の第１収納スペース８６に局部洗浄ユニット部９５を収納する、具体的には、局部洗浄ユニット部９５を取付プレート９４を介在させて移動プレート９２に載置して収納すればよい。この際、便器後方キャビネット８２の外部でできることから、局部洗浄ユニット部９５の載置作業を簡略化できる。また、局部洗浄の有無によらず便器後方キャビネット８２の使用を共通できるので、コスト低減を図ることもできる。
【００５３】
更に、施工済みのトイレにおいて、基本的な洗浄水噴出による局部洗浄に加え、気泡混入洗浄水を噴出したりできるようその性能向上が求められる場合がある。このような場合は、第１収納スペース８６に収納済みの局部洗浄ユニット部９５を取り外し、性能向上をもたらす機器構成の新たな局部洗浄ユニット部９５にユニットごと容易に交換できる。この際、洋式便器６２は交換不要である。よって、局部洗浄の性能向上の要求に、容易且つ速やかに対処できる。
【００５４】
また、局部洗浄ユニット部９５の故障時には、その原因解析のためにその局部洗浄ユニット部９５を取り外して外部の検査機器に接続できる。そして、この検査機器による故障解析と故障修復を経た局部洗浄ユニット部９５を便器後方キャビネット８２の第１収納スペース８６に再度収納すればよい。よって、局部洗浄ユニット部９５の故障にも、容易且つ速やかに対処できる。
【００５５】
また、便器後方キャビネット８２のみならずその左右のキャビネットにも収納スペースを設けたので、予備のタオルやトイレットペーパー、生理用品等の種々のトイレ備品を収納でき、使い勝手を高めることができる。
【００５６】
更に、便器後方キャビネット８２と洋式便器６２のコーナー領域Ｋに湾曲部材９８を設置して、便器後方キャビネット８２と洋式便器６２の外部側面とを湾曲コーナーＷＫで連続的に繋ぐようにした。よって、この湾曲コーナーＷＫに塵やゴミがたまっても容易にこれらを除去でき、便器周囲の清掃性を高めることができる。
【００５７】
以上本発明の実施例について説明したが、本発明は上記の実施例や実施形態になんら限定されるものではなく、本発明の要旨を逸脱しない範囲において種々なる態様で実施し得ることは勿論である。
【００５９】
例えば、実施例では、局部洗浄ユニット部９５を便器後方キャビネット８２の外部に露呈するに当たり、移動プレート９２により前後動可能にしたが、次のように変形することができる。即ち、図７に示すように、この変形例のトイレユニットは、第１収納スペース８６の扉８７の裏面に固定された取付プレート９４Ａを有し、この取付プレート９４Ａに局部洗浄ユニット部９５を着脱自在に備える。よって、局部洗浄ユニット部９５は、扉８７の回動に伴い第１収納スペース８６から外部に露呈する。このため、この変形例によっても、第１収納スペース８６に収納した局部洗浄ユニット部９５の交換等を容易に行なうことができ、上記の実施例と同様の効果を奏する。
【図面の簡単な説明】
【図１】  参考例のトイレユニット１０の概略断面図である。
【図２】  このトイレユニット１０の概略分解斜視図である。
【図３】  図１の３−３線要部概略断面図である。
【図４】  実施例のトイレユニット６０の概略斜視図である。
【図５】  このトイレユニット６０の中央部概略縦断面図である。
【図６】  図４の６−６線要部断面図である。
【図７】  実施例の変形例のトイレユニットの中央部概略縦断面図である。
【符号の説明】
１０…トイレユニット
１２…洋式便器
１４…便器ボール部
１６…下水配管
１８…トラップ配管部
２０…便器支持包囲体
２１…リブ
２２…上縁端
２３…後部側方体
２４…リム部
２５…縁部
２６…床地肌
２７…後壁地肌
２８…床材
３０…排水口
３２…分岐下水配管
３４…便座
３６…便蓋
３８…後部壁面材
４０…便座受け部
５０…側壁部
５１…第１凹所
５２…第２凹所
５３…第３凹所
５４…側壁地肌
５５…紙巻き器
５６，５７…蓋体
６０…トイレユニット
６２…洋式便器
６３…後端側上面
６４…便器ボール部
６６…便座受け部
６８…便座
６９…便蓋
７０…ノズル装置
７１…洗浄ノズル
７２…ノズルシリンダ
７３…ノズル駆動機構
８０…後部キャビネット
８２…便器後方キャビネット
８２ａ…前面パネル
８３…左キャビネット
８４…右キャビネット
８５…扉
８６…第１収納スペース
８７…扉
８８…第２収納スペース
８９…仕切り板
９０…扉
９１…区画壁材
９２…移動プレート
９３…ローラ
９４…取付プレート
９４Ａ…取付プレート
９５…局部洗浄ユニット部
９６…フレキシブル管
９７…電気配線
９８…湾曲部材
【図１】
0003661430.tif 000002
【図２】
0003661430.tif 000003
【図３】
0003661430.tif 000004
【図４】
0003661430.tif 000005
【図５】
0003661430.tif 000006
【図６】
0003661430.tif 000007
【図７】
0003661430.tif 000008